(57)【要約】 【課題】室外機や室内機を容易に選択可能な空気調和機用コントローラを提供する。【解決手段】第２表示制御部１１は、第１表示制御部１０が第１領域１４に第１項目を表示したとき、第２領域１５に複数の室外機２及び複数の室内機３の少なくとも一方を一括して選択できる第１選択形式で表示させる。また、第２表示制御部１１が第１領域１４に第２項目を表示したとき、第２領域１５に複数の室外機２及び複数の室内機３の少なくとも一方のうちの一台のみしか選択できない第２選択形式で表示させる。【選択図】図２
2020051713.tif 000002
【特許請求の範囲】
【請求項１】
ディスプレイと、
前記ディスプレイに表示される画像の第１領域に、空気調和機が備える複数の室外機及び複数の室内機の少なくとも一方に対する第１制御の実行を指示する第１項目または第２制御の実行を指示する第２項目を表示させる第１表示制御部と、
前記第１領域に前記第１項目を表示したとき、第２領域に複数の室外機及び複数の室内機の少なくとも一方を一括して選択できる第１選択形式で表示し、前記第１領域に前記第２項目を表示したとき、前記第２領域に、複数の室外機及び複数の室内機の少なくとも一方のうちの一台のみしか選択できない第２選択形式で表示させる第２表示制御部と、を備えることを特徴とする空気調和機用コントローラ。
【請求項２】
前記第２選択形式は、複数の室外機及び複数の室内機の少なくとも一方のうちの１台を選択可能なプルダウンリストであることを特徴とする請求項１に記載の空気調和機用コントローラ。
【発明の詳細な説明】
【技術分野】
【０００１】
本発明は、空気調和機用コントローラに関する。
【背景技術】
【０００２】
従来、例えば、複数の室外機に対し、一斉に運転の開始や停止等を行わせる空気調和機用コントローラが提案されている。また、複数の室内機に対し、１台ずつポンプダウン等を行わせる空気調和機用コントローラが提案されている（例えば特許文献１、２参照）。
ところで、これらの技術を１つの空気調和機用コントローラで実施可能とした場合、例えば、複数の室外機や室内機の一覧を表示させて、制御対象とする室外機や室内機を操作者に選択させると、操作者は、複数台を一斉に選択できるのか、１台ずつしか選択できないのかが直感的にわからないため、選択の方法をマニュアル等で確認しなければならず、室外機や室内機の選択に手間がかかる。
【先行技術文献】
【特許文献】
【０００３】
【特許文献１】特開２００５−０５５０２３号公報
【特許文献２】特開平５−１４９６３８号公報
【発明の概要】
【発明が解決しようとする課題】
【０００４】
本発明は、上記のような課題に着目したもので、室外機や室内機を容易に選択可能な空気調和機用コントローラを提供することを目的とする。
【課題を解決するための手段】
【０００５】
上記課題を解決するために、本発明の一態様は、（ａ）ディスプレイと、（ｂ）ディスプレイに表示される画像の第１領域に、空気調和機が備える複数の室外機及び複数の室内機の少なくとも一方に対する第１制御の実行を指示する第１項目または第２制御の実行を指示する第２項目を表示させる第１表示制御部と、（ｃ）第１領域に第１項目を表示したとき、第２領域に複数の室外機及び複数の室内機の少なくとも一方を一括して選択できる第１選択形式で表示し、第１領域に第２項目を表示したとき、第２領域に、複数の室外機及び複数の室内機の少なくとも一方のうちの一台のみしか選択できない第２選択形式で表示させる第２表示制御部と、を備える空気調和機用コントローラであることを要旨とする。
【発明の効果】
【０００６】
本発明によれば、室外機や室内機を容易に選択可能な空気調和機用コントローラを提供できる。
【図面の簡単な説明】
【０００７】
【図１】本発明の実施形態に係る空調制御システムを示す構成図である。
【図２】プロセッサが実行する制御指示用処理のフローチャートである。
【図３】制御指示用ウィンドウの第１領域及び第２領域を示す図である。
【図４】第１領域及び第２領域の動作を示す図である。
【図５】第１領域及び第２領域の動作を示す図である。
【図６】プルダウンリストの動作を示す図である。
【図７】プルダウンリストの動作を示す図である。
【図８】変形例に係る制御指示用ウィンドウを示す図である。
【図９】変形例に係る制御指示用ウィンドウを示す図である。
【図１０】変形例に係る制御指示用ウィンドウを示す図である。
【図１１】変形例に係る制御指示用ウィンドウを示す図である。
【発明を実施するための形態】
【０００８】
以下、本発明の実施形態に係る空気調和機用コントローラについて図面を参照しつつ説明する。本実施形態では、本発明に係る空気調和機のコントローラを、空気調和機が備える複数の室外機及び複数の室内機を制御するための、空調制御システムに適用したものである。
なお、以下に示す実施形態は、本発明に係る空気調和機用コントローラの技術的思想を具体化するための方法や装置を例示するものである。本発明の技術的思想は、構成部品の形状及び構造等を下記のものに特定されるものでない。本発明の技術的思想は、請求の範囲に記載された請求項が規定する技術的範囲内で種々の変更を加えることができる。
【０００９】
（実施形態）
（構成）
図１に示すように、本発明の実施形態に係る空調制御システム１は、複数台の室外機２と、複数台の室内機３と、空気調和機用コントローラ４とを備えている。複数台の室外機２と複数台の室内機３との対応は、一対一であってもよいし一対多であってもよい。また、複数台の室外機２のそれぞれと空気調和機用コントローラ４、複数台の室内機３のそれぞれと空気調和機用コントローラ４は、通信ケーブル５を介して通信可能となっている。
【００１０】
空気調和機用コントローラ４は、ディスプレイ６と、入力装置７と、記憶装置８と、プロセッサ９とを備えている。例えば、空気調和機用コントローラ４にはパーソナルコンピュータを用いることができる。
ディスプレイ６は、プロセッサ９から出力される画像信号に従って、その画像信号が示す画像を表示画面に表示する。例えば、ディスプレイ６には液晶ディスプレイ等を用いることができる。
入力装置７は、空気調和機用コントローラ４の操作者によって操作され、操作結果をプロセッサ９に出力する。例えば、入力装置７にはタッチパネル、マウスを用いることができる。
【００１１】
記憶装置８は、プロセッサ９で実行する各種プログラムを記憶している。さらに、記憶装置８は、プログラムの実行時にプロセッサ９で用いられる各種データを記憶する。
プロセッサ９は、空気調和機用コントローラ４の操作者が空気調和機用コントローラ４に対して室外機２や室内機３の制御を開始するための操作を行うと、記憶装置８が記憶するプログラムにより、第１表示制御部１０、第２表示制御部１１を実現する。第１表示制御部１０、第２表示制御部１１等は、室外機２や室内機３の制御を指示するための制御指示用処理を実行する。この処理については後述する。
【００１２】
（制御指示用処理）
次に、空気調和機用コントローラ４の第１表示制御部１０、第２表示制御部１１が実行する制御指示用処理について説明する。
制御指示用処理が実行されると、図２に示すように、まずそのステップＳ１０１で、第１表示制御部１０は、図３に示すように、制御指示用ウィンドウ１３をディスプレイ６に表示させる。制御指示用ウィンドウ１３は、第１領域１４と、第１領域１４の下側に設けられた第２領域１５とを備えている。第１領域１４には、空気調和機が備える複数の室外機２及び室内機３に対する第１制御の実行を指示する複数の第１項目、及び第２制御の実行を指示する複数の第２項目のうちの１つのみしか選択できない第３選択形式で表示させる。第３選択形式としては、例えば、複数の室外機２及び複数の室内機３の少なくとも一方を表す記号等が複数個縦方向にリスト状に並んだプルダウンリスト１６を用いることができる（図６参照）。ここで、第１制御としては、例えば、複数の室外機２及び室内機３の少なくとも一方の一部又は全部に対して、一斉に実行可能な制御を用いることができる。また、第２制御としては、例えば、複数の室外機２及び複数の室内機３の少なくとも一方に対して、一台ずつ実行可能な制御を用いることができる。
これにより、入力装置７は、第１領域１４の第１項目及び第２項目の選択を受け付ける。そして、空気調和機用コントローラ４の操作者は、入力装置７を介して、第１項目又は第２項目の何れかを選択する。
【００１３】
続いてステップＳ１０２に移行して、第２表示制御部１１は、入力装置７で第１項目が選択されたか否かを判定する。例えば、プルダウンリスト１６が操作され、プルダウンリスト１６に第１項目が表示されたか否かを判定する。そして、プルダウンリスト１６（第１領域）に第１項目が表示されたと判定した場合に（Ｓ１０２−Ｙｅｓ）、ステップＳ１０３に移行する。一方、プルダウンリスト１６に第２項目が表示されたと判定した場合に（Ｓ１０２−Ｎｏ）、第２項目が選択されたと判定し、ステップＳ１０５に移行する。
【００１４】
ステップＳ１０３では、第２表示制御部１１は、図４に示すように、第２領域１５に、複数の室外機２及び複数の室内機３の少なくとも一方を一括して選択できる第１選択形式で表示させる。第１選択形式としては、例えば、第２領域１５に対して、複数の室外機２及び複数の室内機３の少なくとも一方の一覧をその一覧に掲載されている複数の室外機２又は複数の室内機３の少なくとの一方の一部又は全部を選択可能な形式を用いることができる。図４では、マウスポインタ等で反転表示させることで、１以上の室外機２や室内機３を選択可能な形式を例示している。また、図４では、室外機２や室内機３は、「Ref.No.」及び「Unit.No.」で表されている。「Ref.No.」とは、冷媒系統（室外機２と室内機３とが冷媒配管でつながっており、冷媒が巡回している系統）を識別するための番号である。また、「Unit.No.」とは、冷媒系統内でのユニットを識別するための番号である。
【００１５】
尚、ここでは「Unit.No.」のうち数字で表された部分が番号であり、数字と共に表示されている記号MはMasterを、S1、S2はSlaveの頭文字である。室外機２に親子関係があるためこのような表示がなされているが本発明と直接の関係はないため詳細は省略する。
これにより、入力装置７は、第２領域１５の一覧に掲載した室外機２及び室内機３の少なくとも一方の選択を受け付ける。そして、空気調和機用コントローラ４の操作者は、入力装置７を介して、一覧を反転表示させて、複数の室外機２及び複数の室内機３の少なくとも一方の一部又は全部を選択する。
【００１６】
続いてステップＳ１０４に移行して、第２表示制御部１１は、第２領域１５に表示した一覧に掲載された複数の室外機２及び複数の室内機３の少なくとも一方のうちの、入力装置７を介して操作者によって選択された複数の室外機２及び複数の室内機３の少なくとも一方に第１制御を実行させた後、この処理を終了する。第１制御としては、第１項目に対応付けられている制御を行う。図４の例では、第１項目として「00:Cooling test run」が選択されたため、第１項目に対応付けられている制御として、複数の室外機２及び複数の室内機３の少なくとも一方に「Cooling test」を実行させる。尚、「Cooling test run」の前に付番されている「00:」は複数ある第１項目に順に付けた番号である。
【００１７】
一方、ステップＳ１０５では、第２表示制御部１１は、図５に示すように、第２領域１５に、複数の室外機２及び複数の室内機３の少なくとも一方のうちの一台のみしか選択できない第２選択形式で表示させる。第２選択形式としては、例えば、第２領域１５に対して、複数の室外機２及び複数の室内機３の少なくとも一方のうちの一台を切替表示可能な形式を用いることができる。切替表示可能な形式としては、例えば複数の室外機２及び複数の室内機３の少なくとも一方のうちの一台のみしか選択できない形式であるプルダウンリスト１７、１８を採用できる。図５では、プルダウンリスト１７は室外機２や室内機３の「Ref.No.」を表し、プルダウンリスト１８は室外機２や室内機３の「Unit.No.」を表している。
これにより、入力装置７は、複数の室外機２及び複数の室内機３の少なくとも一方のうちの一台の選択を受け付ける。そして、空気調和機用コントローラ４の操作者は、入力装置７を介して、図６、図７に示すように、プルダウンリスト１７、１８を操作して、所望の室外機２等の「Ref.No.」及び「Unit.No.」を選択する。
【００１８】
続いてステップＳ１０６に移行して、第２表示制御部１１は、入力装置７を介して操作者によって切替表示された一台の複数の室外機２及び複数の室内機３の少なくとも一方に第２制御を実行させた後、この処理を終了する。第２制御としては、第２項目に対応付けられている制御を行う。図５の例では、第２項目として「11:Indoor unit automatic address」が選択されたため、第２項目に対応付けられている制御として、第２領域１５の「Ref.No.」や「Unit No.」で特定される室内機３に「automatic address」のための制御を実行させる。
【００１９】
以上説明したように、本発明の実施形態に係る空気調和機用コントローラ４は、第１表示制御部１０が、第１領域１４に第１項目を表示したとき、第２表示制御部１１は第２領域１５に、複数の室外機２及び複数の室内機３の少なくとも一方を一括して選択できる第１選択形式で表示させる。また、第２表示制御部１１が、第１領域１４に第２項目を表示したとき、第２表示制御部１１は第２領域１５に、複数の室外機２及び複数の室内機３の少なくとも一方のうちの一台のみしか選択できない第２選択形式で表示させる。それゆえ、第１項目が選択されると、空気調和機の複数の室外機２及び複数の室内機３の少なくとも一方を一括して選択可能な第１選択形式が表示される。また、第２項目が選択されると、複数の室外機２及び複数の室内機３の少なくとも一方のうちの一台のみを切替により選択可能な第２選択形式が表示される。それゆえ、室外機２や室内機３を容易に選択可能な空気調和機用コントローラ４を提供することができる。
【００２０】
ちなみに、例えば、第１領域１４に第１項目が表示されたときにも、第２項目が表示されたときにも、第２領域１５に対して、第１選択形式を表示させて、制御対象とする室外機２や室内機３を操作者に選択させる方法では、一括選択できそうな表示にも関わらず、一台しか選択できない場合があるため、操作者に違和感を与えてしまう可能性がある。
これに対し、本発明の実施形態に係る空気調和機用コントローラ４は、一括選択できる場合にのみ第１選択形式で表示を行うため、操作者の違和感をなくすことができる。
また、本発明の実施形態に係る空気調和機用コントローラ４は、第２選択形式として、複数の室外機２及び複数の室内機３の少なくとも一方のうちの１台を選択可能なプルダウンリスト１７、１８を用いるため、室外機２や室内機３を容易に選択することができる。
【００２１】
（変形例）
本発明の実施形態に係る空気調和機用コントローラ４では、第２選択形式として、プルダウンリスト１７、１８を用いる例を示したが、他の構成を採用することもできる。例えば、図８、図９に示すように、複数の室外機２及び複数の室内機３の少なくとも一方の一覧とともに、その一覧から１つしか選べないラジオボタン１９やトグルボタン２０を用いるようにしてもよい。
また、例えば、図１０、図１１に示すように、複数の室外機２及び複数の室内機３の少なくとも一方の一覧とともに、その一覧の一行しか選択できないUIを用いてもよい。具体的には、マウスのドラッグドロップやCtrlキー＋マウスクリックによる複数行選択を禁止するUIを採用できる。
【符号の説明】
【００２２】
１…空調制御システム、２…室外機、３…室内機、４…空気調和機用コントローラ、５…通信ケーブル、６…ディスプレイ、７…入力装置、８…記憶装置、９…プロセッサ、１０…第１表示制御部、１１…第２表示制御部、１３…制御指示用ウィンドウ、１４…第１領域、１５…第２領域、１６、１７、１８…プルダウンリスト、１９…ラジオボタン、２０…トグルボタン
【図１】
2020051713.tif 000003
【図２】
2020051713.tif 000004
【図３】
2020051713.tif 000005
【図４】
2020051713.tif 000006
【図５】
2020051713.tif 000007
【図６】
2020051713.tif 000008
【図７】
2020051713.tif 000009
【図８】
2020051713.tif 000010
【図９】
2020051713.tif 000011
【図１０】
2020051713.tif 000012
【図１１】
2020051713.tif 000013